(57)【要約】      （修正有）【課題】使用されるペン芯の長さの製作誤差に対応できる構成を有するペン機能付き箸を提供する。【解決手段】開口しているペン端部２０１と封止されている箸端部２０２とを両端側に有する中空管状の接続手段２と、前記箸端部に接続されている箸本体と、前記ペン端部の開口により前記接続手段内に挿入されているペン芯４と、該ペン芯の前記接続手段から露出する先端部４２を周りから囲んで案内するように前記ペン端部に接続されているペンヘッドキャップ３とを備えた上、前記ペン芯の前記先端部の反対側にある末端部４１と、封止されている前記箸端部との間に、付勢手段２３が、前記ペン芯の前記末端部を弾性的に押し付けるように取り付けられていることを特徴とする。【選択図】図１
0003171403.tif 000002
【実用新案登録請求の範囲】
【請求項１】
開口しているペン端部と封止されている箸端部とを両端側に有するように、所定方向に沿って延伸している中空管状体の接続手段と、
所定の長さを持ち、且つ、前記接続手段を延長させるよう、前記接続手段の箸端部に前記所定方向に沿って延伸するように接続されている箸本体と、
前記ペン端部の開口により、先端部が前記ペン端部外に露出するように前記接続手段内に挿入されているペン芯と、
前記ペン芯の前記先端部を露出させる開口を有し、周りから前記ペン芯の前記先端部を囲むと共に、該先端部が該開口から露出する長さを所定の長さに制限するように前記ペン端部に接続されているペンヘッドキャップと、を備えているペン機能付き箸において、
前記ペン芯の前記先端部の反対側にある末端部と、封止されている前記箸端部と、の間に、付勢手段が、前記ペン芯の前記末端部を弾性的に押し付けることによって前記ペン芯の先端部を前記ペンヘッドキャップから露出させるように取り付けられていることを特徴とするペン機能付き箸。
【請求項２】
両端が開口し、且つ、前記接続手段が同軸に挿入されている外管を更に備え、
前記外管は、前記接続手段の前記ペン端部に対応する第１の外管部と、前記接続手段の前記箸端部に対応する第２の外管部と、を両端側に有するように、前記所定方向に沿って延伸している中空直管体に形成されており、
前記ペン端部は、外径が前記第１の外管部の内径より小さくなっている円管状の第１の内管体を有しており、
前記箸端部は、外径が前記第２の外管部の内径より小さくなっている円管状の第２の内管体を有しており、
前記第１の外管部の内周面に第１の雌ネジが形成されており、
前記第２の外管部の内周面に第２の雌ネジが形成されており、
一端が開口し、前記箸本体を該開口からすべて挿入して収容することができ、且つ、開口している一端が雄ネジを設け、前記第１の外管部と前記第１の内管体との間、または前記第２の外管部と前記第２の内管体との間に選択的に挿入してから前記第１の雌ネジまたは前記第２の雌ネジに螺合することができるように形成されているキャップユニットを更に備えていることを特徴とする請求項１に記載のペン機能付き箸。
【請求項３】
前記接続手段の前記第２の内管体は、前記第２の外管部の内側より突出してから所定の長さまで延伸する延伸部を有しており、
封止されている前記箸端部に、前記延伸部の先端の内側から前記ペン端部側に向かって突出して前記付勢手段が取り付けられている設置座があり、
更に、前記箸本体は中空管状体であると共に、前記接続手段と接続することができ、且つ前記延伸部の長さ及び外径に対応して前記所定方向に沿って、前記延伸部を収容できる一定の直径で延伸する第１の段部と、前記第１の段部が延伸する先端から前記所定方向に沿って更に延伸すると共に、直径が段々狭くなって先端近くが箸として使いやすいように錐状に形成されている第２の段部と、を有していることを特徴とする請求項２に記載のペン機能付き箸。
【請求項４】
前記第２の内管体の外周面には、前記箸本体と接続するための箸接続雄ネジが形成されており、
前記箸本体は、前記箸端部に接続される一端が開口している中空体であり、該中空体の開口内には前記箸接続雄ネジに螺合することができる箸接続雌ネジが形成されており、
更に、前記箸接続雄ネジの第２の外管部に面する一側に水密リングが前記箸本体の内周面に当接することができるように取り付けられていることを特徴とする請求項３に記載のペン機能付き箸。
【請求項５】
前記接続手段は、
前記外管の前記第１の外管部に該当する部分に固定されているペン接続ユニットと、
前記外管より小径であって、前記ペン接続ユニットに固定されていると共に、前記ペン接続ユニットから前記所定方向に沿って、前記外管における前記第２の外管部に対応する部分の内側にまで延伸しているインナーチューブと、
前記インナーチューブの延伸する先端に固定されていて前記第２の内管体に対応するようになっている箸接続ユニットと、を有しており、
また、前記外管と前記インナーチューブとの間に、圧縮コイルバネが、一端が前記ペン接続ユニット側に固定される上、該一端の反対側にある他端が前記所定方向に沿って伸縮することができるように配置されており、
前記圧縮コイルバネの前記他端に、スライドユニットが、前記圧縮コイルバネの伸縮に応じて、前記外管と前記インナーチューブとの間に前記所定方向に沿って摺動できるように固定されており、
前記ペン接続ユニットは、前記外管に固定されている大径部と、前記大径部から前記第１の外管部の開口へ延伸していて前記第１の内管体に対応するようになっている小径部と、を有している中空管状体であると共に、前記ペンヘッドキャップは、前記小径部の内側に形成された雌ネジに螺合して固定されており、
前記小径部の前記大径部から離れた開口は、前記ペン端部の開口に対応し、前記ペン芯は該開口から前記接続手段内に挿入され、前記インナーチューブを経由して前記箸接続ユニット内に延伸し、前記第２の内管体とされる前記箸接続ユニット内に配置されている前記付勢手段に当接するように配置されており、
前記第２の内管体とされる前記箸接続ユニットの前記第２の外管部から突出している部分の外表面に、フランジが張り出していると共に、前記箸接続雄ネジは、前記フランジよりも前記ペン端部から離れた箇所に形成されており、
前記スライドユニットの前記箸端部に面する一端は、前記圧縮コイルバネからの付勢力により前記第２の外管部外に突出して前記フランジに当接することができ、該スライドユニットの前記第２の外管部外に露出している部分で前記第２の外管部と前記第２の内管体との間にある隙間を塞いでおり、
更に、前記キャップユニットが前記第２の外管部の内周面に形成された前記第２の雌ネジに螺合する状態では、前記スライドユニットの前記箸端部に面する一端が前記キャップユニットにより前記第２の外管部内に押し込まれるようになっていることを特徴とする請求項４に記載のペン機能付き箸。
【考案の詳細な説明】
【技術分野】
【０００１】
本考案はペン機能付き箸に関し、特に、使用されるペン芯の長さの製作誤差に対応できる構成を有するペン機能付き箸に関する。
【背景技術】
【０００２】
ペン機能付き箸は、例えば特許文献１により開示されたものがある。
【０００３】
図５〜図７では該従来のペン機能付き箸の構成が示されており、図５はその分解図であり、図６はペンとして使用される状態の断面図であり、図７は箸として使用される状態の断面図である。
【０００４】
図示のように、該従来のペン機能付き箸の大まかな構成は、端板１１７により封止されている箸端部１１１と開口しているペン端部１１２とを両端側に有するように、所定方向に沿って延伸している中空管状体の接続チューブ１１と、接続チューブ１１が内側に挿入されているスリーブ管１２と、所定の長さを持ち、且つ、一端で接続チューブ１１の箸端部１１１に形成された第１の小径雄ネジ１１６に螺合している上、前記所定方向に沿って延伸している中空の箸本体１５と、先端部１４２がペン端部１１２外に露出し、且つ末端部１４１が端板１１７に当接するように、ペン端部１１２の開口より接続チューブ１１内に挿入されているペン芯１４と、ペン芯１４の先端部１４２を露出させる開口を有し、周りから該先端部１４２を囲むと共に、該先端部１４２が該開口から露出する長さを所定の長さに制限するようにペン端部１１２の第２の小径雄ネジ１１３に接続されているペンヘッドキャップ１３と、一端が開口し、箸本体１５を該開口からすべて挿入して収容することができ、且つ、開口している一端に雌ネジ１６１が形成されていると共に、箸端部１１１に形成された第１の大径雄ネジ１１５とペン端部１１２に形成された第２の大径雄ネジ１１４とに選択的に螺合することができるように形成されているキャップユニット１６と、を備えている。
【０００５】
この構成により、図６に示されているように、キャップユニット１６が箸端部１１１に形成された第１の大径雄ネジ１１５に螺合している場合では、ペン芯１４の先端部１４２が露出し、ペンとして使用することができる。
【０００６】
また、図７に示されているように、キャップユニット１６がペン端部１１２に形成された第２の大径雄ネジ１１４に螺合している場合では、箸本体１５全体が露出し、箸として使用することに適している。
【先行技術文献】
【特許文献】
【０００７】
【特許文献１】実用新案登録第３１４２３８７号公報
【考案の概要】
【考案が解決しようとする課題】
【０００８】
しかしながら、上記のように構成された従来のペン機能付き箸において、ペン芯１４の先端部１４２は、ペンヘッドキャップ１３により最大の露出を所定の長さに制限する必要がある上、末端部１４１も端板１１７に当接する必要があるので、適用するペン芯１４の長さが接続チューブ１１とペンヘッドキャップ１３とにより一定に制限されており、一旦誤差が生じた場合、長すぎると組み込むことができず、また短すぎると使用しづらくなる、という第１の問題点がある。
【０００９】
更に、箸本体１５は箸として使いやすい略円錐状の形状になっているが、箸本体１５のこの形状によって接続チューブ１１を箸本体１５に挿入することができる長さに限界があり、そして適用するペン芯１４の長さも一定以下に制限されなければならない。このため、ペン芯１４の長さは通常のボールペンなどに使用されるペン芯より短くなるので、ペンとしての使用寿命が短い、という第２の問題点がある。
【００１０】
また、箸本体１５は中空であると共に接続チューブ１１に螺合して接続されているので、食事などで接触することが多い汁やスープなどがねじ接続の隙間に沿って箸本体１５の内部に侵入して溜まりやすく、溜まったものが腐敗して悪臭を発する、という第３の問題点がある。
【００１１】
本考案は、前記各問題点に鑑みてなされたもので、ペン芯１４の長さの製作誤差に対応する構成を有し、且つ通常のペンと同等の使用寿命を持ち、その上防水効果が向上したペン機能付き箸の提供を目的とする。
【課題を解決するための手段】
【００１２】
上記第１の問題点を解決すべく、本考案は開口しているペン端部と封止されている箸端部とを両端側に有するように、所定方向に沿って延伸している中空管状体の接続手段と、所定の長さを持ち、且つ、前記接続手段を延長させるよう、前記接続手段の箸端部に前記所定方向に沿って延伸するように接続されている箸本体と、前記ペン端部の開口により、先端部が前記ペン端部外に露出するように前記接続手段内に挿入されているペン芯と、前記ペン芯の前記先端部を露出させる開口を有し、周りから前記ペン芯の前記先端部を囲むと共に、該先端部が該開口から露出する長さを所定の長さに制限するように前記ペン端部に接続されているペンヘッドキャップと、を備えているペン機能付き箸において、前記ペン芯の前記先端部の反対側にあって前記接続手段内に挿入された末端部と、封止されている前記箸端部と、の間に、付勢手段が、前記ペン芯の前記末端部を弾性的に押し付けることによって前記ペン芯の先端部を前記ペンヘッドキャップから露出させるように取り付けられていることを特徴とするペン機能付き箸を提供する。
【００１３】
上記ペン機能付き箸において、両端が開口し、且つ、前記接続手段が同軸に挿入されている外管を更に備え、前記外管は、前記接続手段の前記ペン端部に対応する第１の外管部と、前記接続手段の前記箸端部に対応する第２の外管部と、を両端側に有するように、前記所定方向に沿って延伸している中空直管体に形成されており、前記ペン端部は、外径が前記第１の外管部の内径より小さくなっている円管状の第１の内管体を有しており、前記箸端部は、外径が前記第２の外管部の内径より小さくなっている円管状の第２の内管体を有しており、前記第１の外管部の内周面に第１の雌ネジが形成されており、前記第２の外管部の内周面に第２の雌ネジが形成されており、一端が開口し、前記箸本体を該開口からすべて挿入して収容することができ、且つ、開口している一端が雄ネジを設け、前記第１の外管部と前記第１の内管体との間、または前記第２の外管部と前記第２の内管体との間に選択的に挿入してから前記第１の雌ネジまたは前記第２の雌ネジに螺合することができるように形成されているキャップユニットを更に備えていることが好ましい。
【００１４】
また、上記第２の問題点を解決すべく、本考案は上記構成を有する上、前記接続手段の前記第２の内管体は、前記第２の外管部の内側より突出してから所定の長さまで延伸する延伸部を有しており、封止されている前記箸端部に、前記延伸部の先端の内側から前記ペン端部側に向かって突出して前記付勢手段が取り付けられている設置座があり、更に、前記箸本体は中空管状体であると共に、前記接続手段と接続することができ、且つ前記延伸部の長さ及び外径に対応して前記所定方向に沿って、前記延伸部を収容できる一定の直径で延伸する第１の段部と、前記第１の段部が延伸する先端から前記所定方向に沿って更に延伸すると共に、直径が段々狭くなって先端近くが箸として使いやすいように錐状に形成されている第２の段部と、を有しているペン機能付き箸をも提供する。
【００１５】
更に、上記第３の問題点を解決すべく、本考案は上記構成を有する上、前記第２の内管体の外周面には、前記箸本体と接続するための箸接続雄ネジが形成されており、前記箸本体は、前記箸端部に接続される一端が開口している中空体であり、該中空体の開口内には前記箸接続雄ネジに螺合することができる箸接続雌ネジが形成されており、更に、前記箸接続雄ネジの第２の外管部に面する一側に水密リングが前記箸本体の内周面に当接することができるように取り付けられているペン機能付き箸をも提供する。
【考案の効果】
【００１６】
上記構成により、本考案のペン機能付き箸は、従来のペン機能付き箸が有する各種の問題点を解決することができ、使用寿命が長い上、より高級感を持つペン機能付き箸を提供することが可能である。
【図面の簡単な説明】
【００１７】
【図１】本考案のペン機能付き箸の分解断面図である。
【図２】本考案のペン機能付き箸の分解斜視図である。
【図３】本考案のペン機能付き箸がペンとして使用される状態の断面図である。
【図４】本考案のペン機能付き箸が箸として使用される状態の断面図である。
【図５】従来のペン機能付き箸の一例の分解図である。
【図６】同従来のペン機能付き箸がペンとして使用される状態の断面図である。
【図７】同従来のペン機能付き箸が箸として使用される状態の断面図である。
【考案を実施するための形態】
【００１８】
以下は各図面を参照しながら、本考案のペン機能付き箸の好ましい実施形態について説明する。
【００１９】
図１は本考案のペン機能付き箸の分解断面図であり、図２は同ペン機能付き箸の分解斜視図であり、図３と図４とはそれぞれペンとして使用される状態と箸として使用される状態との断面図である。
【００２０】
図１及び図２に示されているように、本考案のペン機能付き箸は、開口しているペン端部２０１（図中における下端部）と封止されている箸端部２０２（図中における上端部）とを両端側に有するように、所定方向（図中における上下方向）に沿って延伸している中空管状体の接続手段２と、所定の長さを持ち、且つ、接続手段２を前記所定方向に沿って延長させるよう、接続手段２の箸端部２０２に接続されている中空管状体の箸本体５と、先端部４２が接続手段２のペン端部２０１外に露出するように接続手段２内に挿入されているペン芯４と、ペン芯４の先端部４２を周りから囲んで案内すると共に、接続手段２のペン端部２０１に接続されているペンヘッドキャップ３と、を基本的な構成としていて、ペンまたは箸として使用できるペン機能付き箸である。
【００２１】
ちなみに、図２における接続手段２は外管９の内側に挿入されているため、斜視図ではその大部分が外管９の管内に隠れていて外から見えないようになっている。外管９に関する構成は後で説明する。
【００２２】
このように構成された本考案のペン機能付き箸において、接続手段２内に挿入されているペン芯４における先端部４２の反対側にある末端部４１と、封止されている箸端部２０２と、の間には、付勢手段２３が、ペン芯４の末端部４１を弾性的に押し付けることによってペン芯４の先端部４２をペンヘッドキャップ３から露出させるように取り付けられている。
【００２３】
本考案のペン機能付き箸は、ペン芯４の先端部４２がペンヘッドキャップ３から露出するように押し付ける付勢手段２３があるため、ペン芯４の長さに多少製作誤差があっても、該製作誤差に対応してペン芯４の先端部４２をペンヘッドキャップ３から露出させることができるので、上記第１の問題点を解決することができる。
【００２４】
また、本考案において、図１及び図２に示されているように、接続手段２が内側に挿入されている外管９と、キャップユニット７と、を更に備えることが好ましい。
【００２５】
この実施形態において、外管９は、両端が開口し、且つ、接続手段２が同軸に挿入されている上、接続手段２のペン端部２０１に対応する第１の外管部９１と、接続手段２の箸端部２０２に対応する第２の外管部９２と、を両端側に持つように、前記所定方向に沿って延伸している中空直管体に形成されている。
【００２６】
キャップユニット７は、前記所定方向に沿って箸本体５をすべて収容することができる長さを持つように延伸し、且つ一端のみが開口し、反対側の端は封止されている大径管部７０と、該大径管部７０の開口している前記一端から延伸している小径管部７１と、を有するように形成されている。該小径管部７１における大径管部７０寄りの外表面に雄ネジ７２が形成されており、この雄ネジ７２は、第１の外管部９１の内周面に形成された第１の雌ネジ９１０、または第２の外管部９２の内周面に形成された第２の雌ネジ９２０に選択的に螺合することができる。
【００２７】
また、接続手段２は、外管９の第１の外管部９１に対応する部分の内側に固定されているペン接続ユニット２４と、外管９より小径であって、ペン接続ユニット２４に固定されていると共に、ペン接続ユニット２４から前記所定方向に沿って、外管９における第２の外管部９２に対応する部分の内側にまで延伸しているインナーチューブ２００と、インナーチューブ２００が延伸する先端に固定されている中空管状の箸接続ユニット２５と、を備えていると共に、これら（ペン接続ユニット２４とインナーチューブ２００と箸接続ユニット２５と）によって、１つの前記中空管状体に構成されている。前記付勢手段２３は、箸接続ユニット２５内に配置されている。
【００２８】
ペン接続ユニット２４は、外管９に固定されている大径部２４１と、大径部２４１から第１の外管部９１の開口に向かって延伸している小径部２４２と、を有している中空管状体であると共に、ペンヘッドキャップ３は、小径部２４２の内側に形成された雌ネジ２４３に螺合して固定されている。
【００２９】
小径部２４２の大径部２４１から離れた開口は、前記ペン端部２０１の開口に対応し、ペン芯４は該開口から接続手段２内に挿入されて、インナーチューブ２００を経由して箸接続ユニット内に延伸し、前記第２の内管体とされる箸接続ユニット２５内に配置されている付勢手段２３に当接するように配置されている。
【００３０】
また、箸接続ユニット２５は、外径が第２の外管部９２の内径より小さい円管体に形成されていると共に、上記第２の内管体に対応し、ペン接続ユニット２４における小径部２４２は、外径が第１の外管部９１の内径より小さい円管体に形成されていると共に、上記第１の内管体に対応している。したがって、キャップユニット７における小径管部７１は、第１の外管部９１とペン接続ユニット２４における小径部２４２（第１の内管体）との間、または第２の外管部９２と箸接続ユニット２５（第２の内管体）との間に選択的に挿入してから第１の雌ネジ９１０または第２の雌ネジ９２０に螺合することができる。
【００３１】
図３ではキャップユニット７が第２の雌ネジ９２０に螺合して、ペンとして使用される状態の断面図が示されており、図４ではキャップユニット７が第１の雌ネジ９１０に螺合して、箸として使用される状態の断面図が示されている。
【００３２】
即ち、本考案ペン機能付き箸は、キャップユニット７及び外管９を備えているので、ペンとしても（図３参照）、箸としても（図４参照）使いやすい長さを持つことができる。
【００３３】
更に、本考案において、箸接続ユニット２５は前記所定方向に沿って、箸本体５の管内へ延伸すると共に、延伸する先端が封止されている延伸部２２を更に備えている。延伸部２２はペン芯４を収容できる内径を有すると共に、延伸する先端の内側からペン端部２０１側に向かって突出する付勢手段２３が取り付けられている設置座２２１を有している。即ち、延伸部２２の封止されている先端は、箸端部２０２の封止されている端部に対応し、接続手段２の箸端部２０２は、延伸部２２を有する箸接続ユニット２５により構成されている。
【００３４】
また、中空管状体に形成された箸本体５は、箸端部２０２に接続される一端が開口している中空体であると共に、箸接続ユニット２５の延伸部２２の長さ及び外径に対応して前記所定方向に沿って、前記延伸部を収容できる一定の直径で延伸する第１の段部５１と、第１の段部５１が延伸する先端から前記所定方向に沿って更に延伸すると共に、直径が段々狭くなって先端近くが箸として使いやすいように錐状に形成されている第２の段部５２と、を有している。
【００３５】
ちなみに、箸本体５の第１の段部５１の開口近くに、接続手段２の箸接続ユニット２５の外周面に形成された箸接続雄ネジ２５１に螺合することができる箸接続雌ネジ５１１が形成されている。
【００３６】
本考案のペン機能付き箸は、箸接続ユニット２５の延伸部２２と、箸本体５の第１の段部５１と、を更に備えているので、ペン芯１４が通常のボールペンなどに使用されるペン芯と同等な長さを持つものを適用することができ、ペンとしての使用寿命が短い、という前記第２の問題点を解決することができる。
【００３７】
更に、本考案のペン機能付き箸は、箸接続雄ネジ２５１の第２の外管部９２に面する一側に、箸本体５の内周面に当接することができるように取り付けられた水密リング６を備えているので、箸本体５と接続手段２とが接続される部分の防水効果が上がり、食事などで接触することが多い汁やスープなどがねじ接続の隙間に沿って箸本体５の内部に侵入することを防止して前記第３の問題点を解決することができる。
【００３８】
また、この実施形態のペン機能付き箸には、外管９とインナーチューブ２００との間には、圧縮コイルバネ２６とスライドユニット２７とが更に配置されている。
【００３９】
圧縮コイルバネ２６は、一端がペン接続ユニット２４側に固定される上、該一端の反対側にある他端が前記所定方向に沿って伸縮することができるように配置されている。
【００４０】
更に、前記第２の内管体に対応する箸接続ユニット２５の第２の外管部９２から突出している部分の外表面に、フランジ２５２が張り出していると共に、前記箸接続雄ネジ２５１は、フランジ２５２よりもペン端部２０１から離れた箇所に形成されている。
【００４１】
スライドユニット２７は、圧縮コイルバネ２６の前記他端に固定され、圧縮コイルバネ２６の伸縮に応じて、前記所定方向に沿って外管９とインナーチューブ２００との間で摺動できると共に、圧縮コイルバネ２６から離れた先端、即ち箸端部２０２に面する一端が、圧縮コイルバネ２６からの付勢力により第２の外管部９２外に突出して箸接続ユニット２５のフランジ２５２に当接することができると共に、その第２の外管部９２外に露出している部分で第２の外管部９２と箸接続ユニット２５、即ち前記第２の内管体との間にある隙間を塞ぐことができるように配置構成されている。
【００４２】
スライドユニット２７の形状は、外管９と箸接続ユニット２５とに対応して円管状に形成されているが、この実施形態においては、圧縮コイルバネ２６からの付勢力により第２の外管部９２外に突出して箸接続ユニット２５のフランジ２５２に当接する先端の外径が、第２の外管部９２外に突出してすぐの部分の外径より狭くなるよう、外表面を切頭円錐面２１１に形成されている。この構成は美観のためだけでなく、箸としても比較的に使いやすくなっている。
【００４３】
本考案のペン機能付き箸は、圧縮コイルバネ２６からの付勢力により第２の外管部９２外に突出して箸接続ユニット２５のフランジ２５２に当接するスライドユニット２７を備えることによって、図４に示されているように、キャップユニット７と第２の外管部９２との螺合のために残された第２の外管部９２と箸接続ユニット２５との間にある隙間を、スライドユニット２７で塞ぐことができるので、第２の外管部９２と箸接続ユニット２５との間の防水効果も上がり、食事などで接触することが多い汁やスープなどがその隙間に沿って外管９の内部に侵入することを防止することができる。
【００４４】
ちなみに、キャップユニット７が第２の外管部９２の内周面に形成された第２の雌ネジ９２０に螺合する状態では、図３に示されているように、スライドユニット２７の箸端部２０２に面する一端がキャップユニット７の小径管部７１により第２の外管部９２内に押し込まれるようになっている。
【００４５】
更に、本考案のペン機能付き箸はペンキャップ８を備えており、該本考案のペン機能付き箸を使用しないときは、キャップユニット７を第２の外管部９２に形成された第２の雌ネジ９２０に螺合して箸本体５を収納すると共に、ペンキャップ８でペンヘッドキャップ３及びペン芯４の先端部４２を覆って収納することができる。
【産業上の利用可能性】
【００４６】
上記構成により、本考案のペン機能付き箸は、従来のペン機能付き箸が有する各種の問題点を解決することができ、使用寿命が長い上、より高級感を持つペン機能付き箸を提供することが可能である。
【符号の説明】
【００４７】
２  接続手段                            ２００  インナーチューブ
２０１  ペン端部                        ２０２  箸端部
２２  延伸部                            ２２１  設置座
２３  付勢手段                          ２４  ペン接続ユニット
２４１  大径部                          ２４２  小径部
２５  箸接続ユニット                    ２５１  箸接続雄ネジ
２５２  フランジ                        ２６  圧縮コイルバネ
２７  スライドユニット                  ２１１  切頭円錐面
３  ペンヘッドキャップ                  ４  ペン芯
４１  末端部                            ４２  先端部
５  箸本体                              ５１  第１の段部
５１１  箸接続雌ネジ                    ５２  第２の段部
６  水密リング                          ７  キャップユニット
７０  大径管部                          ７１  小径管部
７２  雄ネジ                            ８  ペンキャップ
９  外管                                ９１  第１の外管部
９１０  第１の雌ネジ                    ９２  第２の外管部
９２０  第２の雌ネジ
【図１】
0003171403.tif 000003
【図２】
0003171403.tif 000004
【図３】
0003171403.tif 000005
【図４】
0003171403.tif 000006
【図５】
0003171403.tif 000007
【図６】
0003171403.tif 000008
【図７】
0003171403.tif 000009